(57)【要約】【課題】冊子の無駄な移動と回転を省き、生産性を高めることが可能な用紙断裁装置及び画像形成システムを提供する。【解決手段】位置を検知する小口部用センサーと天地部用のセンサーを設け、所定位置に搬送される冊子を支持する冊子支持部に冊子を押圧部で押圧し、冊子を挟持し、挟持された冊子を断裁用の位置に移動させて断裁を行い、挟持状態で冊子を断裁位置から退避位置への移動と冊子の９０°回転を並行して行う。【選択図】図１０
2012066362.tif 000002
【特許請求の範囲】
【請求項１】
冊子を所定位置まで搬送する搬送部と、
前記所定位置まで搬送される冊子を支持する冊子支持部と、
冊子の端部を断裁する断裁部と、
前記冊子支持部で支持された冊子を前記断裁部から離間した退避位置と、前記断裁部により断裁される断裁位置との間で移動させる移動駆動部と、
前記冊子支持部で支持された冊子を回転させる回転駆動部と、
前記断裁部の断裁位置からの距離が異なり、冊子の有無を検知する複数の検知手段と、
前記移動駆動部と前記回転駆動部と前記断裁部とを制御して、前記退避位置から前記断裁位置へ前記冊子の移動を開始させ、少なくとも一つの前記検知手段による前記冊子の移動方向の後端辺の検知結果に基づく前記冊子の移動、冊子の９０°回転および冊子の断裁を行わせる制御部を有することを特徴とする用紙断裁装置。
【請求項２】
前記制御部は、前記回転駆動部により冊子を９０°ずつ２回回転させ、前記断裁部により冊子の天部と小口部と地部の順で断裁することを特徴とする請求項１に記載の用紙断裁装置。
【請求項３】
前記回転駆動部が冊子を９０°回転させ、前記移動駆動部が冊子を前記断裁位置から前記退避位置への移動を終了した状態では、前記複数の検知手段のうち少なくとも一つの検知手段は冊子を検知する位置に配設されていることを特徴とする請求項１または２に記載の用紙断裁装置。
【請求項４】
前記回転駆動部による冊子の回転は、前記移動駆動部による前記断裁位置から前記退避位置への冊子の移動と並行して行うことを特徴とする請求項１から３のいずれか一項に記載の用紙断裁装置。
【請求項５】
前記搬送部は、冊子の背部を先頭に前記退避位置へ搬送し、冊子の小口部を先頭に前記退避位置から排出することを特徴とする請求項１から４のいずれか一項に記載の用紙断裁装置。
【請求項６】
用紙に画像を形成する画像形成装置と、該画像形成装置により画像が形成された複数枚の用紙で構成された冊子の端部を断裁する請求項１から５のいずれか１項に記載の用紙断裁装置とを備えることを特徴とする画像形成システム。
【発明の詳細な説明】
【技術分野】
【０００１】
本発明は、冊子の縁部を断裁する用紙断裁装置及び該用紙断裁装置を備えた画像形成システムに関する。
【背景技術】
【０００２】
製本された冊子の縁部を切り落として、小口部、天部、地部等の縁部を整える用紙断裁装置が印刷の分野において知られている。
【０００３】
用紙に画像を形成する画像形成と、画像形成された複数枚の用紙を綴じる製本と、製本された冊子の縁部を切り落とす断裁とを一貫して行うシステムに適した用紙断裁装置が特許文献１に開示されている。
【０００４】
特許文献１では、次のような断裁手順の用紙断裁装置が開示されている。まず冊子を断裁位置に移動し、小口部を断裁し、断裁位置から回転位置に冊子を移動して、冊子を９０度回転する。次に冊子を排紙センサー位置まで移動し、冊子の位置を検知してから冊子を断裁位置に移動し、天部を断裁する。その後断裁位置から回転位置に冊子を移動して、冊子を１８０度回転させ、冊子を排紙センサー位置まで移動し、再び冊子の位置を検知してから冊子を断裁位置に移動し、地部を断裁する。さらに冊子を断裁位置から回転位置に移動し、９０度回転して冊子の背部を先頭に排出する断裁手順である。
【先行技術文献】
【特許文献】
【０００５】
【特許文献１】特願２００４−８３４４７号公報
【発明の概要】
【発明が解決しようとする課題】
【０００６】
特許文献１に記載されている用紙断裁装置では、断裁位置と回転位置と冊子の位置を検知する排紙センサーが一直線上に配置され、一つの排紙センサーで冊子位置を検知しているために、冊子の長辺を断裁するための短辺方向の移動距離が長くなり、生産性を損なうという課題がある。
【０００７】
本発明は上記の課題を解決するためになされたものであって、生産性の高い用紙断裁装置および画像形成システムを提供することを目的とする。
【課題を解決するための手段】
【０００８】
前述の目的は、下記に記載する発明により達成される。
【０００９】
１．冊子を所定位置まで搬送する搬送部と、
前記所定位置まで搬送される冊子を支持する冊子支持部と、
冊子の端部を断裁する断裁部と、
前記冊子支持部で支持された冊子を前記断裁部から離間した退避位置と、前記断裁部により断裁される断裁位置との間で移動させる移動駆動部と、
前記冊子支持部で支持された冊子を回転させる回転駆動部と、
前記断裁部の断裁位置からの距離が異なり、冊子の有無を検知する複数の検知手段と、
前記移動駆動部と前記回転駆動部と前記断裁部とを制御して、前記退避位置から前記断裁位置へ前記冊子の移動を開始させ、少なくとも一つの前記検知手段による前記冊子の移動方向の後端辺の検知結果に基づく前記冊子の移動、冊子の９０°回転および冊子の断裁を行わせる制御部を有することを特徴とする用紙断裁装置。
【００１０】
２．前記制御部は、前記回転駆動部により冊子を９０°ずつ２回回転させ、前記断裁部により冊子の天部と小口部と地部の順で断裁することを特徴とする前記１に記載の用紙断裁装置。
【００１１】
３．前記回転駆動部が冊子を９０°回転させ、前記移動駆動部が冊子を前記断裁位置から前記退避位置への移動を終了した状態では、前記複数の検知手段のうち少なくとも一つの検知手段は冊子を検知する位置に配設されていることを特徴とする前記１または２に記載の用紙断裁装置。
【００１２】
４．前記回転駆動部による冊子の回転は、前記移動駆動部による前記断裁位置から前記退避位置への冊子の移動と並行して行うことを特徴とする前記１から３のいずれか一項に記載の用紙断裁装置。
【００１３】
５．前記搬送部は、冊子の背部を先頭に前記退避位置へ搬送し、冊子の小口部を先頭に前記退避位置から排出することを特徴とする前記１から４のいずれか一項に記載の用紙断裁装置。
【００１４】
６．用紙に画像を形成する画像形成装置と、該画像形成装置により画像が形成された複数枚の用紙で構成された冊子の端部を断裁する前記１から５のいずれか１項に記載の用紙断裁装置とを備えることを特徴とする画像形成システム。
【発明の効果】
【００１５】
本発明では、冊子の辺を検知する複数の検知手段を備え、それぞれの検知手段は断裁位置からの距離が異なることで、小口部と天地部の断裁に応じて使い分けられているために、冊子の無駄な移動を防ぐことで、生産性を高めることが可能となる。
【図面の簡単な説明】
【００１６】
【図１】冊子の説明図である。
【図２】本発明の実施の形態に係る画像形成システムの全体構成図である。
【図３】画像形成装置と後処理装置との説明図である。
【図４】後処理装置の接着剤塗布部の詳細図である。
【図５】後処理装置の表紙押圧部の詳細図である。
【図６】冊子供給装置と用紙断裁装置との側面断面図である。
【図７】用紙断裁装置の要部の正面断面図である。
【図８】用紙断裁装置の要部の平面図である。
【図９】断裁部１Ｄの詳細図である。
【図１０】用紙断裁装置の作動過程を示す模式図である。
【図１１】用紙断裁装置の作動過程を示す模式図である。
【図１２】用紙断裁装置の作動過程のフローチャートである。
【図１３】用紙断裁装置の制御系のブロック図である。
【発明を実施するための形態】
【００１７】
本発明を図示の実施の形態に基づいて説明するが、本発明は該実施の形態に限られない。
【００１８】
＜冊子＞
最初に図１を参照して、冊子について説明する。
【００１９】
冊子Ｓ２は多数枚の用紙Ｓを接着剤Ｎで束ね、表紙を接着することにより作成される。表表紙Ｈ１と裏表紙Ｈ２と背部Ｓａは１枚の表紙からなり、用紙Ｓの束を表紙でくるみ、接着剤Ｎで表紙を用紙Ｓの束に接着することにより冊子Ｓ２が作成される。
【００２０】
接着剤Ｎにより表紙が接着された端面が背部Ｓａであり、背部Ｓａに対向し、見開きされる端面が小口部Ｓｂであり、冊子Ｓ２の上端面が天部Ｓｃ、下端面が地部Ｓｄである。
【００２１】
＜画像形成システム＞
図２は本発明の実施の形態に係る画像形成システムＺの全体を示す図である。画像形成システムＺは画像形成装置Ａと後処理装置Ｂと冊子供給装置Ｃと用紙断裁装置Ｄとを有し、これらがその順に配設されている。
【００２２】
そして、画像形成装置Ａは用紙Ｓに対して画像形成を行う。後処理装置Ｂは画像が形成された用紙Ｓを複数枚束ねて用紙束Ｓ１とした後に、用紙束Ｓ１の端面に接着剤を塗布して１端部で束ねられた冊子Ｓ２を作成する。冊子供給装置Ｃは冊子Ｓ２の接着剤を冷却しながら冊子Ｓ２を上昇させ、冊子Ｓ２を用紙断裁装置Ｄに供給する。用紙断裁装置Ｄは冊子Ｓ２の天部Ｓｃ側、小口部Ｓｂ側、及び地部Ｓｄ側の端部（縁部）を断裁して、冊子の縁部を整える。
【００２３】
画像形成装置Ａは画像形成装置Ａ全体を制御する主制御部１００を有し、後処理装置Ｂは後処理装置Ｂ全体を制御する後処理制御部２００を有し、冊子供給装置Ｃは冊子供給装置Ｃ全体を制御する冊子供給制御部３００を有し、用紙断裁装置Ｄは用紙断裁装置Ｄ全体を制御する断裁制御部４００を有している。
【００２４】
主制御部１００には他の装置と通信を行うシリアル通信部１０１が接続され、後処理制御部２００には他の装置と通信を行うシリアル通信部２０１が接続され、冊子供給制御部３００には他の装置と通信を行うシリアル通信部３０１が接続され、断裁制御部４００には他の装置と通信を行うシリアル通信部４０１が接続されている。
【００２５】
各装置はシリアル通信部１０１と、シリアル通信部２０１と、シリアル通信部３０１と、シリアル通信部４０１と、によりそれぞれ通信をし合い、画像形成システムＺとして連携動作を行っている。
【００２６】
図３は、画像形成装置と後処理装置との説明図である。
【００２７】
画像形成装置Ａは、像担持体１Ａ、帯電部２Ａ、像露光部３Ａ、現像部４Ａ、及び転写除電部５Ａを有する画像形成部と、像担持体１Ａ上に残留した残留トナーをクリーニングするクリーニング部６Ａと、記録材を収納可能な第１の用紙収納部７Ａと第２の用紙収納部７Ａ’とを有する用紙収納部と、記録材を搬送する搬送部８Ａと、トナー像を定着する定着部９Ａと、原稿画像を読み込む画像読取り部１０Ａと、ジョブ情報を入力する操作部ＳＡと、を有している。
【００２８】
画像形成装置Ａの上部には原稿を送り込む自動原稿送り装置ＤＦが取付けられており、自動原稿送り装置ＤＦにより送り込まれた原稿の画像データが画像読取り部１０Ａにより読み込まれる。
【００２９】
画像形成装置Ａは、帯電部２Ａによって像担持体１Ａの表面に一様帯電を行った後に、像露光部３Ａのレーザビームによって画像データに基づく露光走査を行って潜像を形成し、該潜像を現像部４Ａにより反転現像して像担持体１Ａの表面にトナー像を形成する。
【００３０】
第１の用紙収納部７Ａと第２の用紙収納部７Ａ’とには装置使用者によってジョブに応じた記録材が収納される。
【００３１】
以下、第１の用紙収納部７Ａには用紙Ｓが収納され、第２の用紙収納部７Ａ’には表紙Ｓ’が収納されているものとして説明する。
【００３２】
例えば、冊子端部の断裁幅を１０ｍｍとしてＡ４サイズの冊子（接着剤付けくるみ製本）を作成する場合は、Ａ４サイズの用紙より短辺が１０ｍｍ程長く、長辺が２０ｍｍほど長いＡ４ワイド紙が装置使用者により用紙Ｓとして第１の用紙収納部７Ａに収納される。
【００３３】
また、短辺が前記Ａ４ワイド紙の長辺と略同寸法で、長辺が前記Ａ４ワイド紙の短辺の２倍に、本の厚さを加えた長さの用紙が装置使用者により表紙Ｓ’として第２の用紙収納部７Ａ’に収納される。
【００３４】
装置使用者により操作部ＳＡで糊付け製本キーが選択されると第１の用紙収納部７Ａから用紙Ｓが供給される。また、装置使用者により操作部ＳＡで糊付けくるみ製本キーが選択設定されると第１の用紙収納部７Ａから所定枚数の用紙Ｓが供給され、各用紙Ｓに画像を形成後、第２の用紙収納部７Ａ’から表紙Ｓ’が供給され表紙Ｓ’に画像が形成される。なお、供給される用紙Ｓの所定枚数は操作部ＳＡの用紙枚数キーで設定された枚数である。
【００３５】
第１の用紙収納部７Ａから給紙された用紙Ｓ、或いは第２の用紙収納部７Ａ’から給紙された表紙Ｓ’は転写位置へと送られる。転写位置において転写除電部５Ａによりトナー像が用紙Ｓ或いは表紙Ｓ’上に転写され、転写後に用紙Ｓ或いは表紙Ｓ’は電荷が消去されて像担持体１Ａから分離される。
【００３６】
分離後、用紙Ｓ或いは表紙Ｓ’は定着部９Ａにより加熱定着され、排紙ローラ８Ａ１により装置外部に排出され、後処理装置Ｂに送り込まれる。
【００３７】
又、転写されずに像担持体１Ａ上に残留した残留トナーはクリーニング部６Ａにより除去され、次の画像形成に備えられる。
【００３８】
装置使用者により操作部ＳＡで両面印刷キーが選択されると、定着部９Ａにより加熱定着された用紙Ｓを、搬送路切換部８Ａ２により通常の排紙通路から分岐し、反転搬送部８Ａ３においてスイッチバックして表裏反転した後、転写除電部５Ａで用紙Ｓの裏面に画像を形成し、定着部９Ａを経て、排紙ローラ８Ａ１により後処理装置Ｂに送り込まれる。
【００３９】
操作部ＳＡは各種の操作スイッチとタッチパネルとを有し、主制御部１００によりタッチパネルにジョブに係る操作キーが表示され、装置使用者によって行われたキー操作情報（ジョブ情報）が主制御部１００に読み込まれる。そして、読み込まれたジョブ情報等が主制御部１００によりシリアル通信部１０１とシリアル通信部２０１とシリアル通信部３０１とシリアル通信部４０１とを介して各装置に送信される。
【００４０】
ジョブ情報としては、排紙キーによる単純排紙情報、糊付け製本キーによる糊付け製本情報、糊付けくるみ製本キーによる糊付けくるみ製本情報、両面印刷キーによる両面印刷情報、用紙枚数キーによる用紙枚数情報、用紙収納部を選択する第１の用紙収納カセットキーと第２の用紙収納カセットキーによる用紙収納カセット選択情報、冊子の断裁寸法キーによる断裁寸法情報、搬送された記録材が用紙であることを示す用紙情報、搬送された記録材が表紙であることを示す表紙情報、等が挙げられる。
【００４１】
後処理装置Ｂは、用紙受入れ部１Ｂ、排紙部２Ｂ、用紙反転部３Ｂ、用紙束収容部４Ｂ、接着剤塗布部５Ｂ、表紙押圧部６Ｂ等を有している。
【００４２】
後処理装置Ｂに送り込まれ、用紙受入れ部１Ｂに導入された用紙Ｓ或いは表紙Ｓ’は、搬送路切換部１Ｂ１により搬送ローラ１Ｂ２側の搬送路と搬送ローラ１Ｂ３側の搬送路の何れかに分岐される。
【００４３】
用紙Ｓは用紙情報により搬送ローラ１Ｂ２側の搬送路に搬送され、搬送路切換部１Ｂ４によって排紙部２Ｂ側と用紙反転部３Ｂ側の何れかに更に分岐される。
【００４４】
用紙Ｓは、単純排紙情報が送信されていると排紙部２Ｂに排紙され、糊付け製本情報又は糊付けくるみ製本情報が送信されていると用紙反転部３Ｂに向けて搬送される。
【００４５】
表紙Ｓ’は、表紙情報により、糊付けくるみ製本情報が送信されていると搬送ローラ１Ｂ３側の搬送路に搬送され、表紙押圧部６Ｂで用紙束の背部に接着される。
【００４６】
用紙反転部３Ｂは、複数の用紙Ｓを積載する用紙載置台３Ｂ１、用紙端部の位置を規制する用紙端位置決め部材３Ｂ２、搬送ローラ３Ｂ３等を有し、斜めに位置した用紙載置台３Ｂ１上に複数の用紙Ｓからなる用紙束Ｓ１が形成される。
【００４７】
用紙受入れ部１Ｂに順次導入された用紙Ｓは傾斜した用紙載置台３Ｂ１上をスイッチバック搬送され、用紙端が用紙端位置決め部材３Ｂ２に突き当たることにより複数の用紙が整合された状態で用紙載置台３Ｂ１上に集積され複数枚の用紙Ｓから成る用紙束Ｓ１が形成される。
【００４８】
搬送ローラ３Ｂ３に挟持されていた用紙束Ｓ１は用紙端位置決め部材３Ｂ２の開放により、下部の開口から排出され、斜め下方に位置する用紙束収容部４Ｂに向けて落下する。
【００４９】
用紙束収容部４Ｂは、落下した用紙束Ｓ１を支持し、傾斜状態（破線）と直立状態（実線）との間を揺動（図示ａ方向）可能な支持部材４Ｂ１と、落下した用紙束Ｓ１の先端が当接する不図示の当接板と、当接した用紙束Ｓ１を厚さ方向に付勢して押さえる押圧板４Ｂ２とを有している。
【００５０】
用紙反転部３Ｂから落下した用紙束Ｓ１は、傾斜状態（破線）で停止した支持部材４Ｂ１上を滑落し、用紙Ｓの先端部が前記当接板に当接して停止され、用紙束Ｓ１は支持部材４Ｂ１に傾斜状態で保持される。
【００５１】
支持部材４Ｂ１と押圧板４Ｂ２とは用紙束Ｓ１を押圧保持した状態で、不図示の駆動手段によって用紙束収容部４Ｂの軸４Ｂ３を中心にして旋回し、用紙束Ｓ１を傾斜状態から直立状態にする。
【００５２】
なおこの時点では、接着剤塗布部５Ｂの接着剤塗布ローラ５Ｂ１が下方に退避（初期位置）して、用紙束Ｓ１の下面（背部Ｓａ）が接着剤塗布ローラ５Ｂ１から離間している。
【００５３】
図４は、後処理装置の接着剤塗布部の詳細図である。
【００５４】
接着剤塗布部５Ｂは、接着剤塗布ローラ５Ｂ１と、接着剤Ｎを収容する接着剤容器５Ｂ２と、接着剤塗布ローラ５Ｂ１を回転駆動する回転駆動部５Ｂ３と、用紙束Ｓ１の下面（背部Ｓａ）に対して接着剤塗布ローラ５Ｂ１を接離可能に上下移動させる上下移動部５Ｂ４と、接着剤容器５Ｂ２内に収容された接着剤Ｎを加熱溶融させる加熱ヒータ５Ｂ５と、接着剤塗布ローラ５Ｂ１を用紙束Ｓ１の下面（背部Ｓａ）に沿って天部Ｓｃ側（図示紙面表側）から地部Ｓｄ側（図示紙面裏側）の間を往復移動させる往復移動部５Ｂ６と、を有している。
【００５５】
接着剤塗布ローラ５Ｂ１は接着剤の塗布時以外は実線で示したように、用紙束Ｓ１の背部Ｓａに対して離間している。
【００５６】
上下移動部５Ｂ４の作動により接着剤塗布ローラ５Ｂ１と接着剤容器５Ｂ２とが上昇して用紙束Ｓ１の背部Ｓａに接する位置まで移動し、次いで往復移動部５Ｂ６の作動により接着剤塗布ローラ５Ｂ１が用紙束Ｓ１の下面（背部Ｓａ）に沿って天部Ｓｃ側（図示紙面表側）と地部Ｓｄ側（図示紙面裏側）との間を往復移動する。
【００５７】
なお、接着剤塗布ローラ５Ｂ１は回転駆動部５Ｂ３の作動により常時回転しており、前記往復移動により用紙束Ｓ１の背部Ｓａに接着剤Ｎが均一に塗布される。
【００５８】
接着剤Ｎの塗布後に上下移動部５Ｂ４の逆作動により接着剤塗布ローラ５Ｂ１が用紙束Ｓ１の背部Ｓａから離間する。そして後述する表紙押圧部６Ｂによる表紙の貼り付けの準備のため接着剤塗布部５Ｂは図示紙面裏側に移動して退避する。
【００５９】
図５は、後処理装置の表紙押圧部の詳細図である。
【００６０】
図５は、接着剤塗布部５Ｂが図示紙面裏側に移動して退避し、上昇した表紙押圧部６Ｂにより、用紙束Ｓ１に接着された表紙Ｓ’を用紙束Ｓ１の両側面に向けて折り曲げている様子を示している。
【００６１】
表紙押圧部６Ｂは、接着剤Ｎが塗布された用紙束Ｓ１の背部に表紙Ｓ’を当接させて貼着け、表紙Ｓ’を折り曲げて表表紙と裏表紙と背部とを形成する部分である。
【００６２】
表紙押圧部６Ｂは、表紙Ｓ’を受容して搬送する表紙搬送部６Ｂ１と、表紙Ｓ’を用紙束Ｓ１の接着剤塗布面に圧接させる加圧部６Ｂ２と、用紙束Ｓ１に接着された表紙Ｓ’を用紙束Ｓ１の側面に向けて折り曲げる表紙折曲部６Ｂ３と、表紙搬送部６Ｂ１と加圧部６Ｂ２と表紙折曲部６Ｂ３とを有する表紙押圧部本体６Ｂ４と、表紙押圧部本体６Ｂ４を上下方向に移動させる移動部６Ｂ５と、を有している。
【００６３】
表紙Ｓ’はその搬送方向中央部が、用紙束収容部４Ｂに保持された直立状態の用紙束Ｓ１の真下に来るように表紙搬送部６Ｂ１により搬送されて停止する。この時、接着剤塗布部５Ｂは表紙押圧部６Ｂの上下方向の移動エリアの外部例えば図示紙面裏側に向けて退避している。
【００６４】
移動部６Ｂ５の作動により表紙押圧部本体６Ｂ４が上昇する。そして、直立状態の用紙束Ｓ１の背部Ｓａ（図示下側）に表紙Ｓ’が当接し、背部Ｓａ（図示下側）に塗布された接着剤により表紙Ｓ’が接着される。
【００６５】
次いで、表紙押圧部本体６Ｂ４に設けられた表紙折曲部６Ｂ３が用紙束Ｓ１の側面に沿って進み、表紙Ｓ’背部の角を折り曲げ、用紙束Ｓ１に表表紙と裏表紙とを形成する。
【００６６】
表紙Ｓ’の折り曲げ終了後、移動部６Ｂ５（昇降ベルト６Ｂ５１）の逆作動によって表紙押圧部本体６Ｂ４が下降して停止する。
【００６７】
図３に戻り、その後、用紙束収容部４Ｂの押圧板４Ｂ２による冊子Ｓ２の挟持が解除されると、表紙が接着された冊子Ｓ２は不図示のガイドに沿って背部Ｓａが画像形成装置Ａ側に向くように落下し、落下した冊子Ｓ２は表紙搬送部６Ｂ１の逆作動によって左方に移動し装置外部に排出される。
【００６８】
以上説明した動作は、画像形成装置Ａからシリアル通信部１０１とシリアル通信部２０１とを介して送信されたジョブ情報、例えば単純排紙情報、糊付け製本情報、糊付けくるみ製本情報等に基づいて、後処理制御部２００により実行される。
【００６９】
図６は、冊子供給装置と用紙断裁装置との側面断面図である。
【００７０】
用紙断裁装置Ｄでは冊子一冊当たり３箇所（小口部、天部、地部側の端部）の断裁を行うため多量の切り屑が発生する。断裁された多量の切り屑を収納するためには切り屑収納箱を大容量にする必要があり、設置床面積を上げずに大容量とするためには切り屑収納箱の高さ寸法を大きく取る必要がある。
【００７１】
このため、用紙断裁装置Ｄでは断裁部１Ｄを上部に配設し、空いた下部に高さ寸法が大きな大容量の切り屑収納箱２Ｄを設け、上部に配設された断裁部１Ｄに合わせて冊子を供給するため、冊子供給装置Ｃはその下部に供給された冊子Ｓ２を冊子供給装置Ｃ内で上昇させて上部から排出している。
【００７２】
冊子供給装置Ｃは、冊子Ｓ２を裁置し搬送する搬送ベルト部１Ｃと、搬送ベルト部１Ｃを上下方向に移動するベルト上下移動部２Ｃと、冊子Ｓ２の背部Ｓａに風を吹き付けて接着剤を冷却させるファン３Ｃとを有している。
【００７３】
搬送ベルト部１Ｃは冊子Ｓ２を裁置し搬送する搬送ベルト１Ｃ１と、搬送ベルト１Ｃ１を回転可能に懸架するローラ１Ｃ２と、ローラ１Ｃ２を回転駆動させるローラ駆動部１Ｃ３とを有している。そして、ローラ駆動部１Ｃ３のモータ（不図示）の作動により搬送ベルト１Ｃ１上の冊子Ｓ２を用紙断裁装置Ｄに向けて搬送可能となっている。
【００７４】
ベルト上下移動部２Ｃは、搬送ベルト部１Ｃを上下方向に移動する移動ベルト２Ｃ１と、移動ベルト２Ｃ１を支持するローラ２Ｃ２と、ローラ２Ｃ２を回転駆動させる移動ベルト駆動部２Ｃ３とを有している。そして、移動ベルト駆動部２Ｃ３のモータ（不図示）の作動により搬送ベルト１Ｃ１が上下方向に移動可能となっている。
【００７５】
搬送ベルト１Ｃ１はベルト上下移動部２Ｃにより通常下端に位置して後処理装置Ｂから冊子Ｓ２を受け取り可能となっている。
【００７６】
後処理装置Ｂから冊子Ｓ２が搬送されて来るとローラ駆動部１Ｃ３のモータ（不図示）の作動により搬送ベルト１Ｃ１が作動して冊子Ｓ２を引き込み、搬送ベルト１Ｃ１の略中央まで冊子Ｓ２を搬送後停止する。
【００７７】
そして、搬送ベルト１Ｃ１が停止すると移動ベルト駆動部２Ｃ３が作動して移動ベルト２Ｃ１を駆動し搬送ベルト部１Ｃを上昇させる。搬送ベルト１Ｃ１上の冊子Ｓ２を用紙断裁装置Ｄへ移送可能な上端（破線）に達すると、移動ベルト駆動部２Ｃ３の停止により移動ベルト２Ｃ１が停止する。
【００７８】
移動ベルト２Ｃ１の停止により、ローラ駆動部１Ｃ３が作動して搬送ベルト１Ｃ１が作動し、冊子Ｓ２を用紙断裁装置Ｄに向けて排出する。
【００７９】
排出後、移動ベルト駆動部２Ｃ３の逆作動により搬送ベルト部１Ｃを下降させ、後処理装置Ｂから次の冊子Ｓ２受け取りを可能とする。
【００８０】
ファン３Ｃは冊子供給装置Ｃの筐体上面の後処理装置Ｂ側に配置されており、搬送ベルト１Ｃ１の上昇中及び最上部での停止中（破線）にファン３Ｃを作動させ外気を取り込み、ファン３Ｃによる風が冊子Ｓ２の背部Ｓａに吹き付けて接着剤を冷却させる。
【００８１】
以上説明した動作は冊子供給制御部３００により実行される。
【００８２】
以上、冊子供給装置Ｃで冊子を上昇させる形態について説明したが、同様な構成を用紙断裁装置内部の後処理装置側に設け、用紙断裁装置内部で冊子を上昇させるようにしても良いことは言うまでもない。
【００８３】
＜用紙断裁装置＞
図７は、用紙断裁装置の要部を正面から見た断面図、図８は用紙断裁装置の要部の平面図で、図７で示した矢印ｔの方向から見た図である。
【００８４】
用紙断裁装置Ｄは、冊子の端部を断裁する断裁部１Ｄと、冊子Ｓ２を冊子供給装置Ｃから受け取り、所定位置まで搬送し、更に、集積部９Ｄに排出する搬送部３Ｄと、冊子Ｓ２を断裁位置と退避位置とに位置させる移動駆動部４Ｄと、冊子Ｓ２を支持する冊子支持部５Ｄと冊子Ｓ２を回転させる回転駆動部６Ｄと、冊子Ｓ２を冊子支持部５Ｄに対して押圧する押圧部７Ｄと、冊子の有無を検知して冊子の所在位置を確認するための検知センサーＦＳ１およびＦＳ２を有する。検知センサーＦＳ１およびＦＳ２は検知手段として機能する。
【００８５】
搬送部３Ｄは、ローラとベルトからなり、冊子供給装置Ｃから冊子Ｓ２の背部を先頭に供給された冊子Ｓ２を受け取る搬送するベルトユニット３Ｄ５と、冊子Ｓ２を所定位置まで搬送するベルト３Ｄ１１、３Ｄ１２を有する。冊子Ｓ２はベルトユニット３Ｄ５からベルト３Ｄ１１、３Ｄ１２へと受け渡される。ベルト３Ｄ１１には搬送部材３Ｄ２１が固定され、ベルト３Ｄ１２には搬送部材３Ｄ２２が固定される。ベルト３Ｄ１１、３Ｄ１２上の冊子Ｓ２は搬送部材３Ｄ２１、３Ｄ２２によりその後端（右端）を押されて図７、８の左方へと搬送される。搬送の過程で、用紙断裁装置Ｄの枠体８Ｄ１に設けられた傾斜したガイド８Ｄ３と、冊子支持部材５Ｄ１に設けられた傾斜したガイド５Ｄ１ａによりガイドされて上昇し冊子支持部材５Ｄ１上に載り冊子支持部材５Ｄ１により支持される。
【００８６】
冊子支持部材５Ｄ１上に支持された冊子Ｓ２は冊子支持部材５Ｄ１を構成する板を曲げることにより形成された基準板５Ｄ２に突き当たり停止する。ベルト３Ｄ１１、３Ｄ１２は冊子Ｓ２を基準板５Ｄ２に突き当てた後に、移動方向を逆転し、搬送部材３Ｄ２１、３Ｄ２２は退避する。ベルト３Ｄ１１はプーリ３Ｄ３１とプーリ３Ｄ３３とに張架され、ベルト３Ｄ１２はプーリ３Ｄ３２とプーリ３Ｄ３４とに張架されており、プーリ３Ｄ３１〜３Ｄ３４はモータ３Ｄ４により回転駆動される。
【００８７】
移動駆動部４Ｄはベルト４Ｄ１１、４Ｄ１２を有する。ベルト４Ｄ１１はプーリ４Ｄ２１とプーリ４Ｄ２２とに張架され、ベルト４Ｄ１２はプーリ４Ｄ２３とプーリ４Ｄ２４とに張架される。プーリ４Ｄ２１〜４Ｄ２４はモータ４Ｄ３により回転駆動される。
【００８８】
冊子支持部５Ｄは冊子Ｓ２を支持する板状の冊子支持部材５Ｄ１と冊子Ｓ２の一辺である搬送方向（搬送部３Ｄによる搬送時の搬送方向）の先端の位置を決めする基準部材としての基準板５Ｄ２を有する。支持部材５Ｄ３１、５Ｄ３２は用紙断裁装置Ｄの枠体８Ｄ１に固定されたガイド棒８２１、８２２によりガイドされて図８の上下に移動する。
【００８９】
回転駆動部６Ｄは、冊子支持部５Ｄを９０°ずつ回転させるものであり、回転駆動部６Ｄの軸６Ｄ１に冊子支持部材５Ｄ１が固定されている。回転駆動部６Ｄは軸６Ｄ１、ベルト６Ｄ２、プーリ６Ｄ３、６Ｄ４及びモータ６Ｄ５を有する。モータ６Ｄ５の回転によりプーリ６Ｄ３が回転し、プーリ６Ｄ３の回転がベルト６Ｄ２、プーリ６Ｄ４を介して軸６Ｄ１に伝達され、軸６Ｄ１の回転で、冊子支持部材５Ｄ１が回転する。
【００９０】
回転駆動部６Ｄは支持部材５Ｄ３１、５Ｄ３２により支持されており、支持部材５Ｄ３１、５Ｄ３２はガイド棒８Ｄ２１、８Ｄ２２によりガイドされて図８における上下に移動する。即ち、回転駆動部６Ｄと回転駆動部の軸６Ｄ１により支持されている冊子支持部５Ｄとは図８における上下方向に移動する。なお、ガイド棒８Ｄ２１、８Ｄ２２は枠体８Ｄ１に固定されている。
【００９１】
押圧部７Ｄは、冊子Ｓ２を押圧する押圧部材としての押圧コロ７Ｄ１１、７Ｄ１２、７Ｄ１３、支持腕７Ｄ２１、７Ｄ２２、バネ７Ｄ３１、７Ｄ３２、カム７Ｄ４、及びモータ７Ｄ５を有する。
【００９２】
押圧コロ７Ｄ１１〜７Ｄ１３を支持する支持腕７Ｄ２１、７Ｄ２２は軸７Ｄ６に回転自在に支持され、押圧コロ７Ｄ１１〜７Ｄ１３はバネ７Ｄ３１、７Ｄ３２の付勢で冊子Ｓ２を冊子支持部材５Ｄ１に押圧する。カム７Ｄ４はモータ７Ｄ５の駆動で回転し、押圧コロ７Ｄ１１〜７Ｄ１３を点線の位置に退避させるか又は実線の押圧位置に位置させる。
【００９３】
冊子支持部５Ｄは軸６Ｄ１を介して回転駆動部６Ｄに連結されている。
【００９４】
押圧部７Ｄは、基準板５Ｄ２を延長した支持板に固定されており、冊子支持部５Ｄと一体に形成される。
【００９５】
冊子支持部５Ｄと、回転駆動部６Ｄと、押圧部７Ｄとは移動駆動部４Ｄのモータ４Ｄ３の駆動により、ガイド棒８２１、８２２によりガイドされて図８の上下に移動する。また、冊子支持部５Ｄと押圧部７Ｄとはモータ６Ｄ５の駆動で９０°ずつ回転する。
【００９６】
モータ３Ｄ４、４Ｄ３、６Ｄ５、７Ｄ５はそれぞれステッピングモータからなる。
【００９７】
集積部９Ｄは、冊子支持部５Ｄから送られた冊子Ｓ２を搬送し落下させる搬送落下部９Ｄ１と、搬送落下部９Ｄ１から落下した冊子Ｓ２を集積する裁置集積部９Ｄ２とを有している。
【００９８】
搬送落下部９Ｄ１は、冊子Ｓ２を裁置し搬送する１対の搬送ベルト９Ｄ１１と搬送ベルト９Ｄ１１を回転駆動するベルト駆動部９Ｄ１２と、１対の搬送ベルト９Ｄ１１がそれぞれ離間する方向（図示紙面表裏方向）に移動させる不図示のベルト移動部と、を有している。
【００９９】
また、裁置集積部９Ｄ２は、冊子Ｓ２を裁置する裁置板９Ｄ２１と、裁置板９Ｄ２１を上下方向に移動する移動ベルト９Ｄ２２と、移動ベルト９Ｄ２２を駆動する移動ベルト駆動部９Ｄ２３とを有し、移動ベルト駆動部９Ｄ２３のパルスモータ９Ｄ２４の作動によりプーリ９Ｄ２５と移動ベルト９Ｄ２２を介して裁置板９Ｄ２１が上下方向に平行移動可能となっている。
【０１００】
冊子支持部５Ｄから小口部を先頭に送り出された冊子Ｓ２は、ベルト駆動部９Ｄ１２により回転する１対の搬送ベルト９Ｄ１１の略中央部まで搬送され停止する。
【０１０１】
１対の搬送ベルト９Ｄ１１が停止すると、不図示のベルト移動部により１対の搬送ベルト９Ｄ１１が互いに離間する方向（図示紙面表裏方向）に移動し、裁置されていたＳ２はこの移動により支持を失い、裁置集積部９Ｄ２の裁置板９Ｄ２１に向けて落下する。
【０１０２】
冊子Ｓ２が落下すると、冊子Ｓ２の集積が１冊増す毎に、裁置板９Ｄ２１は移動ベルト駆動部９Ｄ２３によって冊子Ｓ２の厚さ分下降する。
【０１０３】
冊子Ｓ２の厚さ分の下降について説明する。
【０１０４】
冊子Ｓ２の厚さは画像形成装置Ａの主制御部１００により、操作部ＳＡの用紙枚数キーにて設定された用紙枚数情報に基づいて演算され、シリアル通信部１０１、２０１、３０１、４０１を介して断裁制御部４００に冊子Ｓ２の厚さ情報が送信される。
【０１０５】
そして断裁制御部４００は、冊子Ｓ２の厚さ情報に相当するパルスモータ駆動パルス数を演算し、パルスモータ９Ｄ２４を前記パルスモータ駆動パルス数分駆動することにより冊子Ｓ２の厚さ分の下降を可能としている。
【０１０６】
図９は、断裁部１Ｄの詳細図であり、図９（ａ）は断裁部１Ｄの待機状態を示す正面図、図９（ｂ）はその側面図である。
【０１０７】
断裁部１Ｄは、図示上端が刃先となるように取り付けられた断裁刃１Ｄ１と、断裁刃１Ｄ１を移動させる断裁刃駆動部１Ｄ２と、断裁刃１Ｄ１の受けとなる受け部材１Ｄ３と、受け部材１Ｄ３を移動させる受け部駆動部１Ｄ４とを有している。
【０１０８】
そして、断裁刃駆動部１Ｄ２と受け部駆動部１Ｄ４とは、断裁刃１Ｄ１と受け部材１Ｄ３とがそれぞれ当接或いは離間する方向に駆動する。
【０１０９】
受け部駆動部１Ｄ４は、受け部材１Ｄ３を取り付ける取付け板１Ｄ４１と、受け部駆動部１Ｄ４を駆動するモータ１Ｄ４２と、モータ１Ｄ４２の出力軸に連結された長さ方向中央部でネジの向きが逆に切ってある一対のネジ１Ｄ４３と、ネジ１Ｄ４３に螺合する１対の雌ネジ部１Ｄ４４と、取付け板１Ｄ４１と雌ネジ部１Ｄ４４とに掛け渡された一対のリンク１Ｄ４５と、を有している。
【０１１０】
そして、モータ１Ｄ４２の正転により、ネジ１Ｄ４３と雌ネジ部１Ｄ４４とリンク１Ｄ４５と取付け板１Ｄ４１とを介して受け部材１Ｄ３を断裁刃１Ｄ１に向けて付勢し、冊子Ｓ２を断裁刃１Ｄ１に押圧可能となっている。
【０１１１】
断裁刃駆動部１Ｄ２は、断裁刃１Ｄ１が固定された断裁刃固定部材１Ｄ２１と、断裁刃固定部材１Ｄ２１を移動可能に支持する支持部材１Ｄ２２と、断裁刃固定部材１Ｄ２１を矢印Ｊ方向に移動させる断裁刃駆動機構１Ｄ２３と、を有している。
【０１１２】
断裁刃固定部材１Ｄ２１には複数のコロ１Ｄ２４が設けられ、コロ１Ｄ２４は支持部材１Ｄ２２に図示右下がりに傾斜するように穿たれた複数のガイド穴１Ｄ２５にそれぞれガイドされ、断裁刃固定部材１Ｄ２１をＪ方向に移動可能としている。
【０１１３】
不図示のモータとラック・ピニオン等で構成された断裁刃駆動機構１Ｄ２３は、断裁刃固定部材１Ｄ２１を図示左側に向けて付勢し、断裁刃固定部材１Ｄ２１のコロ１Ｄ２４がガイド穴１Ｄ２５に沿って移動することにより、断裁刃固定部材１Ｄ２１に固定された断裁刃１Ｄ１を斜め上方（図示左上がり）に向かって移動させ、受け部材１Ｄ３により押圧された冊子Ｓ２を断裁可能となっている。
【０１１４】
断裁部１Ｄの作動について説明すると、冊子Ｓ２はガイド部１Ｄ５に案内されて前述の移動駆動部４Ｄにより、例えば、小口部Ｓｂを先頭にして断裁予定位置が刃先位置に来るまで移動する。
【０１１５】
次いで、モータ１Ｄ４２の正転により、ネジ１Ｄ４３と雌ネジ部１Ｄ４４とリンク１Ｄ４５と取付け板１Ｄ４１とを介して受け部材１Ｄ３を断裁刃１Ｄ１に向けて移動させる。
【０１１６】
この移動により受け部材１Ｄ３が冊子Ｓ２を押圧して冊子Ｓ２を構成する用紙Ｓ同士のズレが防止される。
【０１１７】
受け部材１Ｄ３の下降により、断裁刃駆動機構１Ｄ２３のモータが正転し、正転により断裁刃固定部材１Ｄ２１を介して断裁刃１Ｄ１が斜め上方に向かって移動し冊子Ｓ２を断裁する。
【０１１８】
冊子Ｓ２の断裁後は、モータ１Ｄ４２と断裁刃駆動機構１Ｄ２３のモータとが逆転して、断裁刃１Ｄ１と受け部材１Ｄ３とを離間させ、初期位置に戻す。
【０１１９】
以上説明したように、冊子Ｓ２を押圧後、断裁刃１Ｄ１を斜め上方に向かって平行移動させて冊子Ｓ２を断裁するため、用紙がずれることなく且つ少ない力で冊子Ｓ２を切断可能となっている。
【０１２０】
また、用紙断裁装置Ｄは切り屑収納箱２Ｄの配設位置近傍に切り屑収納箱２Ｄを装置外部に取り出すための扉（不図示）を有し、装置使用者は該扉を開くことにより切り屑収納箱２Ｄを用紙断裁装置Ｄから取り出して内部の切り屑を廃棄可能となっている。
【０１２１】
ここからは、図７、８に加えて図１０〜１３を参照して用紙断裁装置Ｄの移動駆動部４Ｄ、回転駆動部６Ｄ、冊子の位置を検知するための検知センサーＦＳ１およびＦＳ２の動作について説明する。
【０１２２】
図１０、図１１は用紙断裁装置の作動過程を示す模式図であり、図８の用紙断裁装置の要部の平面図を簡略化したものである。押圧コロ７Ｄ１１〜７Ｄ１３は、１個の部材である押圧コロ１４として示している。図１３は用紙断裁装置Ｄの制御系を示す図である。
【０１２３】
検知センサーＦＳ１およびＦＳ２は、断裁部１Ｄの断裁線ＣＵＬから垂線をなす距離がそれぞれｗおよびｓとなる位置に配設され、ｗ＞ｓの関係をなしている。検知センサーＦＳ１は、冊子Ｓ２の短辺（天部Ｓｃおよび地部Ｓｄ）の断裁位置を決定するときに機能し、検知センサーＦＳ２は冊子Ｓ２の長辺（小口部Ｓｂ）の断裁位置の確定するときに機能する。
【０１２４】
なお、図１０では、背部が長辺となるよう事例を説明しているが、短辺を背部とする場合は、検知センサーＦＳ１とＦＳ２は前記とは夫々入れ替わって機能する。
【０１２５】
図１２は用紙断裁装置の動作フローチャートである。
【０１２６】
制御部としての断裁制御部４０１は、主制御部１０１から取得した冊子Ｓ２を構成する用紙のサイズ情報に基づいて行う。
【０１２７】
図１２のステップ１にて、冊子支持部材５Ｄ１へ受け渡された冊子Ｓ２は、搬送部材３Ｄ２１、３Ｄ２２に押されて、冊子Ｓ２の背部Ｓａが基準板５Ｄ２に突き当たり、冊子Ｓ２の曲がりを補正して停止する。
【０１２８】
図１０（ａ）の状態では、冊子Ｓ２はその天部Ｓｃと断裁部１Ｄとの間に所定の距離があるように位置している。天部Ｓｃと断裁部１Ｄの距離は、冊子Ｓ２が断裁部１Ｄに接触することなく軸６Ｄ１を中心に回転可能なように設定されている。
【０１２９】
ステップ２にて、モータ７Ｄ５の駆動でカム７Ｄ４が時計方向に回転して実線で示す状態となる。押圧コロ７Ｄ１４がバネ７Ｄ３１、７Ｄ３２の付勢で、冊子Ｓ２を冊子支持部材５Ｄ１に押圧し、冊子Ｓ２は冊子支持部材５Ｄ１と押圧コロ７Ｄ１４との挟持により保持される。なお、以下に説明する図１０（ｂ）〜図１１（ｃ）の状態を通じて、冊子Ｓ２は冊子支持部材５Ｄ１と押圧コロ７Ｄ１４との挟持により保持される。
【０１３０】
また、冊子Ｓ２が冊子供給装置Ｃから排出され、用紙断裁装置Ｄの冊子支持部材５Ｄ１と押圧コロ７Ｄ１４との挟持した状態を冊子Ｓ２が退避位置に位置しているという。
【０１３１】
検知センサーＦＳ１およびＦＳ２は、冊子Ｓ２を検知する位置に配設されている。
【０１３２】
ステップ１および２で示した動作状態が図１０（ａ）で示されている。
【０１３３】
ステップ３にて、モータ４Ｄ３の駆動による冊子支持部材５Ｄ１の移動で冊子Ｓ２が図１０の上方に移動開始をして、検知センサーＦＳ１が冊子Ｓ２の地部Ｓｄを検知した位置からさらにモータ４Ｄ３を設定された所定数の駆動パルスで駆動することにより、冊子Ｓ２の天部Ｓｃが断裁用の断裁位置までの所定距離ｄ１を移動して、モータ４Ｄ３を停止する。
【０１３４】
ステップ４にて、断裁部１Ｄが作動して、冊子Ｓ２を断裁し、天部Ｓｃが整えられる。
【０１３５】
ステップ３および４で示した動作状態が図１０（ｂ）で示されている。
【０１３６】
ステップ５にて、モータ４Ｄ３の駆動による冊子支持部材５Ｄ１の移動で冊子Ｓ２が図の下方に移動するとともに、モータ６Ｄ５の駆動による冊子支持部材５Ｄ１の回転で冊子Ｓ２が反時計方向に９０°回転し、冊子Ｓ２は図１０（ｃ）の状態になる。図１０（ｂ）から図１０（ｃ）への冊子Ｓ２の移動では、図１０（ｂ）の断裁位置から図下方に移動して、冊子Ｓ２の回転が可能となった段階で、冊子Ｓ２の回転を開始し、冊子Ｓ２の下方への移動と回転とが並行して進行するような移動制御が行われる。冊子支持部材５Ｄ１の９０°回転は、モータ６Ｄ５を設定された所定数の駆動パルスで駆動することにより行われる。また、冊子支持部材５Ｄ１の下方への移動は、モータ４Ｄ３を設定された所定数の駆動パルスで駆動することにより行われる。図１０（ｃ）は冊子Ｓ２が退避位置に移動完了した状態を表し、検知センサーＦＳ１は冊子Ｓ２を検知せずに、検知センサーＦＳ２だけが冊子Ｓ２を検知した状態となっている。
【０１３７】
ステップ６にて、モータ４Ｄ３の駆動による冊子支持部材５Ｄ１の移動で冊子Ｓ２が図１０（ｃ）の状態から図の上方に移動開始をして、検知センサーＦＳ２が冊子Ｓ２の背部Ｓａを検知した位置からさらにモータ４Ｄ３を設定された所定数の駆動パルスで駆動することにより、冊子Ｓ２の小口部Ｓｂが断裁用の断裁位置までの所定距離ｄ２を移動して、モータ４Ｄ３を停止する。
【０１３８】
ステップ７にて、断裁部１Ｄが作動して、冊子Ｓ２を断裁し、小口部Ｓｂが整えられる。
【０１３９】
ステップ６および７で示した動作状態が図１０（ｄ）で示されている。
【０１４０】
ステップ８にて、モータ４Ｄ３の駆動による冊子支持部材５Ｄ１の移動で冊子Ｓ２が図の下方に移動するとともに、モータ６Ｄ５の駆動による冊子支持部材５Ｄ１の回転で冊子Ｓ２が反時計方向に９０°回転し、冊子Ｓ２は図１１（ａ）の状態になる。図１０（ｄ）から図１１（ａ）への冊子Ｓ２の移動では、図１０（ｄ）の断裁位置から図下方に移動して、冊子Ｓ２の回転が可能となった段階で、冊子Ｓ２の回転を開始し、冊子Ｓ２の下方への移動と回転とが並行して進行するような移動制御が行われる。冊子支持部材５Ｄ１の９０°回転は、モータ６Ｄ５を設定された所定数の駆動パルスで駆動することにより行われる。また、冊子支持部材５Ｄ１の下方への移動は、モータ４Ｄ３を設定された所定数の駆動パルスで駆動することにより行われる。図１１（ａ）は冊子Ｓ２が退避位置に移動完了した状態を表し、検知センサーＦＳ２は冊子Ｓ２を検知せずに、検知センサーＦＳ１だけが冊子Ｓ２を検知した状態となっている。
【０１４１】
ステップ９にて、モータ４Ｄ３の駆動による冊子支持部材５Ｄ１の移動で冊子Ｓ２が図１１（ａ）の状態から図の上方に移動開始をして、検知センサーＦＳ１が冊子Ｓ２の天部Ｓｃを検知した位置からさらにモータ４Ｄ３を設定された所定数の駆動パルスで駆動することにより、冊子Ｓ２の地部Ｓｄが断裁用の断裁位置までの所定距離ｄ３を移動して、モータ４Ｄ３を停止する。
【０１４２】
ステップ１０にて、断裁部１Ｄが作動して、冊子Ｓ２を断裁し、地部Ｓｄが整えられる。
【０１４３】
ステップ９および１０で示した動作状態が図１１（ｂ）で示されている。
【０１４４】
ステップ１１にて、モータ４Ｄ３の駆動による冊子支持部材５Ｄ１の移動で冊子Ｓ２は図１１（ｂ）の位置から図の下方に移動して、冊子Ｓ２は図１１（ｃ）の退避位置に移動する。
【０１４５】
ステップ１２にて、図１１（ｃ）の状態で、まず、モータ７Ｄ５の駆動で、カム７Ｄ４が回転し、押圧コロ７Ｄ１４が上昇して、押圧を解除する。次に、モータ３Ｄ４が作動して搬送部材３Ｄ２１、３Ｄ２２が図７、８の左方に移動して冊子Ｓ２を集積部９Ｄに送り込む。
【０１４６】
図１０、１１に示すように、冊子Ｓ２が断裁部１Ｄから離れた退避位置から、冊子Ｓ２の断裁辺が断裁部１Ｄに近接する断裁用の位置に又は断裁用の位置から退避位置に移動する移動時と、冊子Ｓ２が９０°回転する回転運動時を通じて、冊子Ｓ２を押圧し、冊子支持部材５Ｄ１上に固定する押圧コロ７Ｄ１４と冊子Ｓ２の背部Ｓａを規制して位置決する基準板５Ｄ２とは一体で移動し回転する。即ち、直線移動と、回転運動と、断裁とは冊子Ｓ２を、押圧コロ７Ｄ１４により上下方向に固定するとともに、側方を基準板５Ｄ２で固定した状態で行われる。また、退避位置から断裁位置へ移動するときは検知センサーＦＳ１およびＦＳ２が冊子Ｓ２の各辺を検知（冊子有無の切り替わり）した位置から所定距離を移動することで距離範囲を極小化することができる。さらに冊子は背部を先頭に搬入し、小口部を先頭に排出することで、冊子の回転を９０°ずつ２回回転に留めることができる。これらにより、冊子Ｓ２の移動と回転と断裁を通じて冊子Ｓ２の位置ずれや変形がなく、高い精度でかつ高い生産性の三方断裁が行われる。
【符号の説明】
【０１４７】
Ａ  画像形成装置
Ｂ  後処理装置
Ｃ  冊子供給装置
ＣＵＬ  断裁線
Ｄ  用紙断裁装置
ＦＳ１  検知センサー
ＦＳ２  検知センサー
Ｓ  用紙
Ｓ’  表紙
Ｓ１  用紙束
Ｓ２  冊子
Ｓａ  背部
Ｓｂ  小口部
Ｓｃ  天部
Ｓｄ  地部
Ｚ  画像形成システム
１Ｃ  搬送ベルト部
２Ｃ  ベルト上下移動部
１Ｄ  断裁部
２Ｄ  切り屑収納箱
３Ｄ  搬送部
４Ｄ  移動駆動部
５Ｄ  冊子支持部
６Ｄ  回転駆動部
７Ｄ  押圧部
９Ｄ  集積部
【図１】
2012066362.tif 000003
【図２】
2012066362.tif 000004
【図３】
2012066362.tif 000005
【図４】
2012066362.tif 000006
【図５】
2012066362.tif 000007
【図６】
2012066362.tif 000008
【図７】
2012066362.tif 000009
【図８】
2012066362.tif 000010
【図９】
2012066362.tif 000011
【図１０】
2012066362.tif 000012
【図１１】
2012066362.tif 000013
【図１２】
2012066362.tif 000014
【図１３】
2012066362.tif 000015